(57)【要約】 【課題】ティシュ・ペーパと便座カバー・ペーパとして使用される両方の機能を有するペーパを提供すること。【解決手段】  本発明のティシュ・ペーパとして及び便座カバー・ペーパとして使用されるペーパは、（ａ）ユーザが拭くためと便座をカバーするために使用される衛生ペーパ製の衛生ペーパ・ストリップからなり，前記衛生ペーパ・ストリップは、複数の切り取り可能なティシュ・ペーパの部分を有し，前記切り離し可能な部分の少なくとも一部は，折り畳まれた便座カバー・ペーパであり，前記衛生ペーパ・ストリップは、折り畳まれると、少なくとも３つの層を形成する。さらに（ｂ）前記衛生ペーパ・ストリップの複数の切り取り可能な部分を規定する複数の横方向の切り取り点線を有し、前記複数の切り取り点線の少なくとも一部は，便座カバー・ペーパ用の切り取り点線であり，前記便座カバー・ペーパ用の切り取り点線が，便座カバー・ペーパの開始端と終了端を規定する。【選択図】  図１
2010518883.tif 000002
【特許請求の範囲】
【請求項１】
ティシュ・ペーパとして及び便座カバー・ペーパとして使用されるペーパにおいて，
（ａ）  ユーザが拭くためと便座をカバーするために使用される衛生ペーパ製の衛生ペーパ・ストリップからなり，
前記衛生ペーパ・ストリップは、複数の切り取り可能なティシュ・ペーパの部分を有し，
前記切り離し可能な部分の少なくとも一部は，折り畳まれた便座カバー・ペーパであり，
前記衛生ペーパ・ストリップは、折り畳まれると、少なくとも３つの層を形成し，
（ｂ）  前記衛生ペーパ・ストリップの複数の切り取り可能な部分を規定する複数の横方向の切り取り点線が形成され，
前記複数の切り取り点線の少なくとも一部は，便座カバー・ペーパ用の切り取り点線であり，
前記便座カバー・ペーパ用の切り取り点線が，便座カバー・ペーパの開始端と終了端を規定する
ことを特徴とするティシュ・ペーパと便座カバー・ペーパとして使用されるペーパ。
【請求項２】
前記衛生ペーパ・ストリップの切り取り可能な部分の少なくとも一部は，少なくとも２つの機能を有し，
第１の機能は、前記ユーザー拭く機能であり，
第２の機能は、拡げた時に、便座をカバーする機能である
ことを特徴とする請求項１記載のペーパ。
【請求項３】
前記便座カバー・ペーパの切り取り点線は，前記便座カバー・ペーパの開始端と終了端を規定するサイズを有する
ことを特徴とする請求項１記載のペーパ。
【請求項４】
前記便座カバー・ペーパの切り取り点線は，前記便座カバー・ペーパの開始端と終了端を規定する形状を有する
ことを特徴とする請求項１記載のペーパ。
【請求項５】
前記便座カバー・ペーパの切り取り点線は，前記便座カバー・ペーパの開始端と終了端を規定するよう着色されている
ことを特徴とする請求項１記載のペーパ。
【請求項６】
前記便座カバー・ペーパの切り取り点線の少なくとも一部は，直線状である
ことを特徴とする請求項１記載のペーパ。
【請求項７】
前記便座カバー・ペーパの切り取り点線の少なくとも一部は，非直線状である
ことを特徴とする請求項１記載のペーパ。
【請求項８】
前記便座カバー・ペーパの切り取り点線の少なくとも一部は，前記衛生ペーパの前記少なくとも３層のそれぞれが，前記便座カバー・ペーパが切り離されたときに，少なくとも一個のオーバーラップしない把持部分を形成するよう方向付けられ，
前記把持部分は，個々の便座カバー・ペーパをユーザーが拡げるのを容易にする
ことを特徴とする請求項１記載のペーパ。
【請求項９】
前記衛生ペーパは、ロール状に巻かれている
ことを特徴とする請求項１記載のペーパ。
【請求項１０】
前記衛生ペーパは，前記衛生ペーパ・ストリップの中央にあるボール・フラップが露出しないよう、巻かれる
ことを特徴とする請求項９記載のペーパ。
【請求項１１】
（ａ）衛生ペーパ製の衛生ペーパ・ストリップを有し，
前記衛生ペーパ・ストリップは、折り畳まれて、ユーザーのクリーニング用と便座をカバーするため、少なくとも３層を生成し，
前記衛生ペーパ・ストリップは，前記衛生ペーパ・ストリップに一体の折り畳まれた便座カバー・ペーパを有する
ことを特徴とするティシュ・ペーパと便座カバー・ペーパとして使用されるペーパ。
【請求項１２】
前記衛生ペーパ・ストリップは、横方向の切り取り点線を有し，
前記横方向の切り取り点線は、ユーザーの洗浄用あるいは拭き取り用のティシュ・ペーパの切り取り可能な部分を規定する。
ことを特徴とする請求項１１記載のペーパ。
【請求項１３】
前記ティシュ・ペーパの切り取り可能な部分は，ユーザーのお尻を拭くためである
ことを特徴とする請求項１又は１２記載のペーパ。
【請求項１４】
前記便座カバー・ペーパは，完全に拡げられて、前記便座上に置かれた時に，便座をカバーするのに十分な形状と大きさを有し，
便座カバー・ペーパは，便座とユーザーの皮膚とが直接接触するのを防止する
ことを特徴とする請求項１又は１１記載のペーパ。
【請求項１５】
前記便座カバー・ペーパは，プリカットされた中央に位置するボール・フラップを有する
ことを特徴とする請求項１又は１１記載のペーパ。
【請求項１６】
前記便座カバー・ペーパは、中央に位置するボール用開口を有し，
前記ボール用開口は、前記便座の開口部よりも小さい
ことを特徴とする請求項１又は１１記載のペーパ。
【請求項１７】
前記３層の少なくとも１つの層は，オーバーラップしない隣接する層を形成する幅を有し，
前記オーバーラップしない隣接する層は，ユーザーが前記便座カバー・ペーパを拡げるのを容易にする
ことを特徴とする請求項１又は１１記載のペーパ。
【請求項１８】
前記便座カバー・ペーパは，少なくとも３層の内の露出する外側層に配置された凹部を有し，
前記凹部は，前記３層の隣接する層の一部を前記露出する外側層に露出し，
前記凹部は，前記隣接する層の露出部分を保持するユーザーにより，前記便座カバー・ペーパを拡げるのを容易にする場所に形成され、そのようなサイズを有する
ことを特徴とする請求項１又は１１記載のペーパ。
【請求項１９】
前記衛生ペーパは、軟質で廃棄可能で水に流せて高吸湿性の材料から形成される
ことを特徴とする請求項１又は１１記載のペーパ。
【請求項２０】
前記衛生ペーパは、自己接着性のない表面を有する
ことを特徴とする請求項１又は１１記載のペーパ。
【請求項２１】
前記衛生ペーパは、二重のペーパから形成され
前記二重のペーパは，滑らかな表面とティシュ・ペーパとして使用される粗い表面とを有する
ことを特徴とする請求項１又は１１記載のペーパ。
【請求項２２】
前記衛生ペーパは少なくとも一方の表面は、化学物質が含浸されている
ことを特徴とする請求項１又は１１記載のペーパ。
【請求項２３】
前記衛生ペーパは、複数のプライから構成され
前記少なくとも三層の少なくとも１つの層は、前記複数のプライから構成される
ことを特徴とする請求項１又は１１記載のペーパ。
【請求項２４】
前記衛生ペーパは、箱内に上から折り畳んで収納される
ことを特徴とする請求項１又は１１記載のペーパ。
【請求項２５】
前記衛生ペーパは、ポップアップのディスペンサ内に折り畳んで重ねられる
ことを特徴とする請求項１又は１１記載のペーパ。
【請求項２６】
前記複数の衛生ペーパ・ストリップは、容器内に折り畳んで重ねられる
ことを特徴とする請求項１１記載のペーパ。
【請求項２７】
前記複数の衛生ペーパ・ストリップは、ディスペンサ内で折り畳んで重ねられ，      前記衛生ペーパの一つが引き出されると後続のペーパが解放されて，前記ディスペンサの開口から露出して引き出されるようになる
ことを特徴とする請求項１１記載のペーパ。
【請求項２８】
前記衛生ペーパは、折り畳まれて少なくとも３層を形成し，
前記３層の内の２つの側面方向に折り畳まれた縦方向の層は，互いの上に重ねられ，      前記衛生ペーパが完全に折り畳まれた時に、垂直方向で隣接し，
前記中央に配置されたボール・フラップは、前記３層の外側層に配置される
ことを特徴とする請求項１５記載のペーパ。
【請求項２９】
前記ボール・フラップの少なくとも一部は，折り畳まれた時に、前記３層の内の内側層に配置される
ことを特徴とする請求項１５記載のペーパ。
【請求項３０】
前記ボール・フラップの少なくとも一部は，折り畳まれた時に、ユーザと直接接触しないよう露出しない
ことを特徴とする請求項１５記載のペーパ。
【請求項３１】
前記衛生ペーパは、折り畳まれて４層を生成し，
前記４層は，前記衛生ペーパが部分的に拡げられた時に，英文字の「Ｗ」に似た断面外形を有し，
前記中央に配置されたボール・フラップは，前記２層の内の２つの内側層内に配置される
ことを特徴とする請求項１５記載のペーパ。
【請求項３２】
前記衛生ペーパは、折り畳まれて４層を形成し，
前記衛生ペーパの２つの側面方向に折り畳まれた縦方向の層は，互いに隣接し，前記衛生ペーパの一方の側に配置される
ことを特徴とする請求項１５記載のペーパ。
【請求項３３】
前記衛生ペーパは、折り畳まれて連続して積み上げられた３層を生成し，
前記衛生ペーパが一部拡げられた時に，英文字「Ｚ」に似た断面外形を有する
ことを特徴とする請求項１５記載のペーパ。
【請求項３４】
前記便座カバー・ペーパの前記ボール開口は，リムフラップを有し，
前記リムフラップは，前記便座カバー・ペーパを前記便座に適正な位置に置けるようにする
ことを特徴とする請求項１６記載のペーパ。
【請求項３５】
前記衛生ペーパは、折り畳まれて４層を生成し，
前記４層は，前記衛生ペーパが部分的に拡げられた時に，英文字の「Ｗ」に似た断面外形を有し，
前記中央に配置されたボール・フラップは，前記２層の内の２つの内側層内に配置される
ことを特徴とする請求項１６記載のペーパ。
【請求項３６】
前記衛生ペーパは、折り畳まれて連続して積み上げられた３層を生成し，
前記衛生ペーパが一部拡げられた時に，英文字「Ｚ」に似た断面外形を有する
ことを特徴とする請求項１６記載のペーパ。
【請求項３７】
前記衛生ペーパは，前記衛生ペーパの粗い表面が露出表面となるよう、折り畳まれる
ことを特徴とする請求項２１記載のペーパ。
【請求項３８】
前記化学物質は，洗剤，脱臭剤，抗バクテリア剤，抗ウイルス剤，抗菌剤からなるグループから選択される少なくとも１種類の化学物質を含む
ことを特徴とする請求項２２記載のペーパ。
【発明の詳細な説明】
【技術分野】
【０００１】
本発明は，衛生ペーパの二つの使用態様に関する。この使用態様は、二重の機能即ちティッシュ・ペーパ（以下実施例に合わせて「トイレット・ペーパ」とも称する）としての使用と便座カバー・ペーパとしての使用である。本発明の衛生ペーパが二重の機能を有するため、洗面室に二種類の衛生ペーパを用意する必要がない。
【背景技術】
【０００２】
トイレット・ペーパと便座カバー・ペーパは、洗面室で使用される柔らかく薄い紙である。トイレット・ペーパは、排便後お尻を拭くために用いられ、便座カバー・ペーパは、お尻が便座の表面に接触しないようにするために用いられる。人の皮膚に接触した衛生ペーパは、使用後に廃棄される。トイレット・ペーパと便座カバー・ペーパは、両方とも柔らかく水に流すことのできる水溶性の材料製である。しかしそれらの役目の違いにより，これらの紙は、その紙の組成と種類を異にする。例えばトイレット・ペーパ（お尻を拭くために専ら用いる）は、吸水性の比較的粗い表面の紙でできている。便座カバー・ペーパ（お尻が便座に接触するのを阻止する）は，柔らかく滑らかな（光沢のある）紙から製造され，時に化学物質（抗菌化合物）が含浸している。
【０００３】
それらの役目と材料組成の違いより，トイレット・ペーパと便座カバー・ペーパは完全に異なる形態でパッケージされ、別物として販売される。例えばトイレット・ペーパは、一定間隔で横方向の複数の切り取り点線を有するロール状にパッケージされた連続する紙の形態で供給され、便座カバー・ペーパは、箱形のディスペンサ内にパッケージされた一枚一枚のシートとして供給されている。
【０００４】
トイレット・ペーパと便座カバー・ペーパの様々な種類と構成が従来存在する。例えば、特許文献１，２，３は、個々のユニットとしてパッケージされた廃棄可能な水に流せる便座カバー・ペーパを開示する。また，特許文献４は、個々のユニットとしてパッケージされた再使用可能な便座カバー・ペーパを開示する。特許文献５は、多くの廃棄できない便座カバー・ペーパを有する気孔の無い生物分解性ではない材料からなる長いスリーブを開示する。特許文献６は、ロール状にパッケージされた連続するシートから切り離し可能で廃棄可能で且つ水に流せるスリーブ型のカバーシートを開示する。
【０００５】
【特許文献１】米国特許第２，０２５，９４１号明細書
【特許文献２】米国特許第４，０５０，１０５号明細書
【特許文献３】米国特許第４，７６６，６１７号明細書
【特許文献４】米国特許第４，９９８，２９７号明細書
【特許文献５】米国特許第４，９２０，５８４号明細書
【特許文献６】米国特許第５，１０７，５４９号明細書
【特許文献７】米国特許第４，６２７，１１７号明細書
【特許文献８】特開２０００−１３９７７４
【０００６】
ロール型にパッケージされた廃棄可能な別の種類の便座カバー・ペーパ（以下便座カバー・シートとも称する）が、特許文献７，８に開示されている。従来は、トイレット・ペーパと便座カバー・ペーパとは、別個のユニットとして或いはある種のパッケージの組み合わせの形態で市販されていた。例えばこの種のペーパ製造業者は、米国カリフォルニア州のTubular Specialties Mfg.（ＴＳＭ）と米国ニューヨーク州のAmerican Specialties Inc.（ＡＳＩ）とがある。
【０００７】
公共の場所例えばレストランで更に家庭内でも、便座カバー・ペーパを用意していることは、好ましいことであるが，現実はそうなってはいない。これは、多くの人が自分の家の外では便座に直接接触するのを好まないという事実とは反対である。最近の研究によれば、９０％以上の女性が直接便座に座りたくないと思っている。現在ではトイレット・ペーパを使用することは、多くの家では広く行き渡っているが，便座カバー・ペーパは、病院，空港，ホテル等の限られた公共の場所でのみ見いだされる。
【０００８】
便座カバー・ペーパが広く市場で行き渡らない理由のいくつかは，（１）このようなペーパの製造にコストがかかること，（２）大きく嵩張るディスペンサが、折り畳んだ便座カバー・ペーパをパッケージし収納するのに必要だからである。このような嵩張ったディスペンサは、それらを受け入れる大きなスペースを必要とする。これらの理由により、一般の人あるいは小さな公共の場所（例：レストラン）のオーナーは、嵩張り高価な便座カバー・ペーパを買うのを好まない。その代わり彼らは，トイレット・ペーパを切り取り（これらは通常大量にあるが）、そのような場所にハンドメイドの便座カバー・ペーパを用意する。即ち、彼らは、トイレット・ペーパを切り取り，それを便座の周りに置いて、お尻が便座に直接接触しないようにしている。
【０００９】
それ故に、このような衛生用の便座カバー・ペーパを個人あるいは商人に魅力あるようにするためには，比較的安価な衛生ペーパを使用し、トイレット・ペーパとして，あるいは便座カバー・ペーパとして、簡単に使用できるようにする事が重要である。
【発明の開示】
【発明が解決しようとする課題】
【００１０】
本発明の目的は，二重の機能を有するペーパとして使用される廃棄可能な衛生ペーパを提供することである。本発明の衛生ペーパは、トイレット・ペーパと便座カバー・ペーパの両方として機能する。
【００１１】
本発明の更なる目的は，従来のトイレット・ペーパを便座カバー・ペーパに簡単に切り替えることのできる衛生ペーパを提供することである。
【００１２】
本発明の更なる目的は，便座をカバーするために、拡げると便座カバー・ペーパになる衛生ペーパを提供することである。
【００１３】
本発明の更なる目的は，多くの洗面所で見られる市販のトイレット・ペーパに類似した構造とサイズの衛生ペーパを、二重の機能の衛生ペーパにすることである。例えば本発明の一実施例によれば，本発明の衛生ペーパが、ロール形状にパッケージされている場合には，従来のトイレット・ペーパが配置されるのと同一のトイレット・ペーパ・ローラーホルダー内に配置できる。
【００１４】
本発明の更なる目的は，トイレット・ペーパとして及び便座カバー・ペーパとして、ポップアップ状のディスペンサに、パッケージできるコンパクトで二重の機能の衛生ペーパを提供することである。
【００１５】
本発明の更なる目的は，財布，コートのポケット，自動車のダッシュボードの中に収納できる非常にコンパクトな二重機能の衛生ペーパを提供することである。
【００１６】
本発明の更なる目的は，市販のトイレット・ペーパと便座カバー・ペーパの組み合わせよりもより経済的な二重機能の衛生ペーパを提供することである。
【００１７】
折り畳まれた衛生ペーパが、多くの市販のトイレット・ペーパに類似する薄く粗い材料から形成されている場合には，折り畳まれた層は、互いに接着（密着）する傾向があり，これにより捕獲と分離が極めて困難となる。この困難性は、ペーパの一方の面が滑らかで光沢がある場合には大幅に減少する。このような場合滑らかな表面は、ペーパの強度を増加させるばかりではなく，折り畳まれた層が互いに接着するのを最小にする。これにより、ユーザーが便座カバー・ペーパを拡げるのが容易になる。従って、折り畳まれた衛生ペーパが二重のペーパから構成される場合には，滑らかな表面は、互いに接着する傾向が低くなり，便座カバー・ペーパを拡げるのが簡単で容易となる。
【課題を解決するための手段】
【００１８】
本明細書で使用される用語について以下説明する。用語「両面ペーパ」とは、一枚あるいは複数枚のプライ（層）から構成され、一方の表面は、滑らかで光沢があり、他の表面は粗いペーパを意味する。用語「ティッシュ・ペーパ」とは，トイレットペーパとして使用されるのに一般的なペーパ（紙）だけでなく、顔を拭ったり，鼻をかんだり，あるいは対象物を洗うためにも使用することができるペーパ（即ち一般的な意味でのティッシュ・ペーパ）も意味する。用語「彎曲した」と「非線形」とは（ａ）ある半径の弧（または弧の組み合わせ），（ｂ）直線ラインの組み合わせ，（ｃ）ある半径の弧（ａ）と直線ライン（ｂ）の組み合わせからなるラインを意味する。用語「非自己接着性」とは、同一材料の表面に強力には接着する傾向のない表面を意味する。即ち、最初は互いに接着してた表面は、最小の力でその表面に損傷を与えずに分離することができることを意味する。
【００１９】
複数のプライを有するトイレット・ペーパを製造する事は一般的である。それ故に衛生ペーパが製造される材料が複数のプライのペーパである場合は、折り畳まれたストリップの各層は、複数のプライの層となる。
【００２０】
パッケージングに関しては，本発明の一実施例によれば，衛生ペーパは、従来の洗面所のティッシュのディスペンサの回転軸に縦方向に巻かれた折られたストリップである。この折られた衛生ペーパのストリップは、従来の巻かれたティッシュ・ペーパの幅（１０−１２ｃｍ）に類似する幅を有する。かくして更なるディスペンサは必要ではない。
【００２１】
本発明の衛生ペーパは、従来の衛生ペーパに比較して独自の優れた特徴を有する。これらの特徴は以下である。（ａ）従来のトイレット・ペーパと便座カバー・ペーパの両方として使える二重機能の衛生ペーパを提供できる点。（ｂ）屋外屋内のトイレ用に使用できるコンパクトなペーパを提供できる点。（ｃ）特殊なディスペンサを必要とせず、従来のトイレット・ペーパを置換できる点。（ｄ）従来のトイレット・ペーパが配置されるロール分配装置と同一の場所に、従来のトイレット・ペーパを置換できる二重の機能の衛生ペーパを提供できる点。（ｅ）容易に拡げることのできる便座カバー・ペーパを提供できる点。（ｆ）トイレット・ペーパと便座カバー・ペーパ用の別々のユニットを維持するのに比較すると，従来の装置を比較的経済的に置換できる点。
【００２２】
本発明の衛生ペーパは、以下の二つの使用態様のいずれかで提供される。
（１）使用態様Ａのペーパは，トイレット・ペーパ用の複数の切り離し可能な部分を有する衛生ペーパ・ストリップである。本発明の一実施例によれば，使用態様Ａの衛生ペーパのストリップは，トイレット・ペーパ用の複数の切り離し部分を規定する複数の横方向の切り取り点線を有する。この複数の横方向の切り取り点線の少なくとも一部は，便座カバー・ペーパの開始端と終了端とを規定する便座カバー・ペーパ用の切り取り点線である。
（２）使用態様Ｂのペーパは，便座カバー・ペーパが衛生ペーパのシートと一体になった折り畳んだ衛生ペーパ・シートである。これは，使用態様Ａの衛生ペーパ・ストリップとは異なる。これは、複数の便座カバー・ペーパを有し，これらは互いに適宜の切り取り点線により接続される。使用態様Ｂの衛生ペーパは、洗浄用あるいは拭き取り用に使用されるが，衛生ペーパシートは、切り取り点線ラインを有する。この切り取り点線ラインが、洗浄用あるいは拭き取り用に、トイレット・ペーパの切り離し可能部分を規定する。好ましくは使用態様Ｂの衛生ペーパシートは、適宜のディスペンサ内に、折りたたまれて積み重ねられたシートとして、消費者に提供される。
【００２３】
本発明のティシュ・ペーパとして及び便座カバー・ペーパとして使用されるペーパは、（ａ）ユーザが拭くためと便座をカバーするために使用される衛生ペーパ製の衛生ペーパ・ストリップからなり，前記衛生ペーパ・ストリップは、複数の切り取り可能なティシュ・ペーパの部分を有し，前記切り離し可能な部分の少なくとも一部は，折り畳まれた便座カバー・ペーパであり，前記衛生ペーパ・ストリップは、折り畳まれると、少なくとも３つの層を形成し，ｂ）  前記衛生ペーパ・ストリップの複数の切り取り可能な部分を規定する複数の横方向の切り取り点線が形成され、前記複数の切り取り点線の少なくとも一部は，便座カバー・ペーパ用の切り取り点線であり，前記便座カバー・ペーパ用の切り取り点線が，便座カバー・ペーパの開始端と終了端を規定する。
【００２４】
本発明の他の実施例によれば、前記衛生ペーパ・ストリップの切り取り可能な部分の少なくとも一部は，少なくとも２つの機能を有し，第１の機能は、前記ユーザー拭く機能であり，第２の機能は、拡げた時に、便座をカバーする機能である。
【００２５】
本発明の他の実施例によれば、前記便座カバー・ペーパの切り取り点線は，前記便座カバー・ペーパの開始端と終了端を規定するサイズを有する。
【００２６】
本発明の他の実施例によれば、前記便座カバー・ペーパの切り取り点線は，前記便座カバー・ペーパの開始端と終了端を規定する形状を有する。
【００２７】
本発明の他の実施例によれば、前記便座カバー・ペーパの切り取り点線は，前記便座カバー・ペーパの開始端と終了端を規定するよう着色されている。
【００２８】
本発明の他の実施例によれば、前記便座カバー・ペーパの切り取り点線の少なくとも一部は，直線状である。
【００２９】
本発明の他の実施例によれば、前記便座カバー・ペーパの切り取り点線の少なくとも一部は，非直線状である。
【００３０】
本発明の他の実施例によれば、前記便座カバー・ペーパの切り取り点線の少なくとも一部は，前記衛生ペーパの前記少なくとも３層のそれぞれが，前記便座カバー・ペーパが切り離されたときに，少なくとも一個のオーバーラップしない把持部分を形成するよう方向付けられ，前記把持部分は，個々の便座カバー・ペーパをユーザーが拡げるのを容易にする。
【００３１】
本発明の他の実施例によれば、前記衛生ペーパは、ロール状に巻かれている。
【００３２】
本発明の他の実施例によれば、前記衛生ペーパは，前記衛生ペーパ・ストリップの中央にあるボール・フラップが露出しないよう、巻かれる。
【００３３】
本発明の他の実施例によれば、（ａ）衛生ペーパ製の衛生ペーパ・ストリップを有し，前記衛生ペーパ・ストリップは、折り畳まれて、ユーザーのクリーニング用と便座をカバーするため、少なくとも３層を生成し，前記衛生ペーパ・ストリップは，前記衛生ペーパ・ストリップに一体の折り畳まれた便座カバー・ペーパを有する。
【００３４】
本発明の他の実施例によれば、前記衛生ペーパ・ストリップは、横方向の切り取り点線を有し，前記横方向の切り取り点線は、ユーザーの洗浄用あるいは拭き取り用のティシュ・ペーパの切り取り可能な部分を規定する。
【００３５】
本発明の他の実施例によれば、前記ティシュ・ペーパの切り取り可能な部分は，ユーザーのお尻を拭くためである。
【００３６】
本発明の他の実施例によれば、前記便座カバー・ペーパは，完全に拡げられて、前記便座上に置かれた時に，便座をカバーするのに十分な形状と大きさを有し，便座カバー・ペーパは，便座とユーザーの皮膚とが直接接触するのを防止する。
【００３７】
本発明の他の実施例によれば、前記便座カバー・ペーパは，プリカットされた中央に位置するボール・フラップを有する。
【００３８】
本発明の他の実施例によれば、前記便座カバー・ペーパは、中央に位置するボール用開口を有し，前記ボール用開口は、前記便座の開口部よりも小さい。
【００３９】
本発明の他の実施例によれば、前記３層の少なくとも１つの層は，オーバーラップしない隣接する層を形成する幅を有し，前記オーバーラップしない隣接する層は，ユーザーが前記便座カバー・ペーパを拡げるのを容易にする。
【００４０】
本発明の他の実施例によれば、前記便座カバー・ペーパは，少なくとも３層の内の露出する外側層に配置された凹部を有し，前記凹部は，前記３層の隣接する層の一部を前記露出する外側層に露出し，前記凹部は，前記隣接する層の露出部分を保持するユーザーにより，前記便座カバー・ペーパを拡げるのを容易にする場所に形成され、そのようなサイズを有する。
【００４１】
本発明の他の実施例によれば、前記衛生ペーパは、軟質で廃棄可能で水に流せて高吸湿性の材料から形成される。
【００４２】
本発明の他の実施例によれば、前記衛生ペーパは、自己接着性のない表面を有する。
【００４３】
本発明の他の実施例によれば、前記衛生ペーパは、二重のペーパから形成され、前記二重のペーパは，滑らかな表面とティシュ・ペーパとして使用される粗い表面とを有する。
【００４４】
本発明の他の実施例によれば、前記衛生ペーパは少なくとも一方の表面は、化学物質が含浸されている。
【００４５】
本発明の他の実施例によれば、前記衛生ペーパは、複数のプライから構成され、前記少なくとも三層の少なくとも１つの層は、前記複数のプライから構成される。
【００４６】
本発明の他の実施例によれば、前記衛生ペーパは、箱内に上から折り畳んで収納される。
【００４７】
本発明の他の実施例によれば、前記衛生ペーパは、ポップアップのディスペンサ内に折り畳んで重ねられる。
【００４８】
本発明の他の実施例によれば、前記複数の衛生ペーパ・ストリップは、容器内に折り畳んで重ねられる。
【００４９】
本発明の他の実施例によれば、前記複数の衛生ペーパ・ストリップは、ディスペンサ内で折り畳んで重ねられ，前記衛生ペーパの一つが引き出されると後続のペーパが解放されて，前記ディスペンサの開口から露出して引き出されるようになる。
【００５０】
本発明の他の実施例によれば、前記衛生ペーパは、折り畳まれて少なくとも３層を形成し，前記３層の内の２つの側面方向に折り畳まれた縦方向の層は，互いの上に重ねられ、前記衛生ペーパが完全に折り畳まれた時に、垂直方向で隣接し，前記中央に配置されたボール・フラップは、前記３層の外側層に配置される。
【００５１】
本発明の他の実施例によれば、前記ボール・フラップの少なくとも一部は，折り畳まれた時に、前記３層の内の内側層に配置される
【００５２】
本発明の他の実施例によれば、前記ボール・フラップの少なくとも一部は，折り畳まれた時に、ユーザと直接接触しないよう露出しない
【００５３】
本発明の他の実施例によれば、前記衛生ペーパは、折り畳まれて４層を生成し，
前記４層は，前記衛生ペーパが部分的に拡げられた時に，英文字の「Ｗ」に似た断面外形を有し，前記中央に配置されたボール・フラップは，前記２層の内の２つの内側層内に配置される。
【００５４】
本発明の他の実施例によれば、前記衛生ペーパは、折り畳まれて４層を形成し，前記衛生ペーパの２つの側面方向に折り畳まれた縦方向の層は，互いに隣接し，前記衛生ペーパの一方の側に配置される。
【００５５】
本発明の他の実施例によれば、前記衛生ペーパは、折り畳まれて連続して積み上げられた３層を生成し，前記衛生ペーパが一部拡げられた時に，英文字「Ｚ」に似た断面外形を有する。
【００５６】
本発明の他の実施例によれば、前記便座カバー・ペーパの前記ボール開口は，リムフラップを有し，前記リムフラップは，前記便座カバー・ペーパを前記便座に適正な位置に置けるようにする。
【００５７】
本発明の他の実施例によれば、前記衛生ペーパは、折り畳まれて４層を生成し，前記４層は，前記衛生ペーパが部分的に拡げられた時に，英文字の「Ｗ」に似た断面外形を有し，前記中央に配置されたボール・フラップは，前記２層の内の２つの内側層内に配置される。
【００５８】
本発明の他の実施例によれば、前記衛生ペーパは、折り畳まれて連続して積み上げられた３層を生成し，前記衛生ペーパが一部拡げられた時に，英文字「Ｚ」に似た断面外形を有する。
【００５９】
本発明の他の実施例によれば、前記衛生ペーパは，前記衛生ペーパの粗い表面が露出表面となるよう、折り畳まれる。
【００６０】
本発明の他の実施例によれば、前記化学物質は，洗剤，脱臭剤，抗バクテリア剤，抗ウイルス剤，抗菌剤からなるグループから選択される少なくとも１種類の化学物質を含む。
【実施例】
【００６１】
本発明は二重の応用に適切な衛生ペーパ装置の二つの使用態様を示す。即ち（１）拭い取ったりきれいにしたりするトイレット・ペーパ（ティッシュ・ペーパ）用としての使用態様と（２）便座カバー・ペーパ用としての使用態様である。以下本発明の衛生ペーパについて説明する。
【００６２】
図１−３２は、使用態様Ａによる折り畳まれた衛生ペーパのストリップを示す。図３３−３５は、使用態様Ｂによる折り畳まれた衛生ペーパのシートを示す。
【００６３】
図１−１０は、本発明の一実施例を示す。この実施例によれば，衛生ペーパ・ストリップ１０は、折り畳まれた連続する紙である。この連続する紙１０は、従来の洗面所のティッシュロール・ディスペンサのロールの軸１１に縦方向に巻かれている。これにより衛生ロール１２（即ち、巻かれた時には衛生ペーパ・ストリップ１０である）は、全体の幅が従来のトイレット・ペーパの幅１０−１２ｃｍにほぼ近い。衛生ペーパ・ストリップ１０は、適宜の長さである。これはロールの形態で提供される紙の量に応じて決まる。
【００６４】
本発明の他の実施例によれば，衛生ペーパ・ストリップ１０は、積層された両面ペーパである。便座カバー・ペーパ面１４は滑らかな（光沢のある）表面であり、トイレット・ペーパ面１６は比較的粗い表面である。これにより紙の両面を形成する。この種の積層された両面ペーパは、ユーザーに柔らかさを与えると共に紙の強さを増す。このアプリケーションにおいては、用語「両面ペーパ（duplex paper）」とは、便座カバー・ペーパ面１４とトイレット・ペーパ面１６を有するペーパ（紙）を意味する。
【００６５】
図２に、衛生ペーパ・ストリップ１０の折り畳んだ構造の詳細を示す。同図に示すように，衛生ペーパ・ストリップ１０は、４枚のプライからなるトイレット・ペーパと似た４層を提供するよう、折り畳まれる。各層の幅即ち衛生ロール１２の幅は、完全に（縦方向に）折り畳まれた時には、衛生ペーパ・ストリップ１０の４分の１の幅となる。衛生ペーパ・ストリップ１０の折り畳みは，衛生ペーパ・ストリップ１０が一部拡げられた時には、図３に示すようになるように、行われる。衛生ペーパ・ストリップ１０の断面は、英文字「Ｗ」の形状に似ている。このような折り畳まれた状態においては，ボール・フラップ２５が、２つの内側層に配置され（図３），長手方向層１３ａ，１３ｂが、内側層を外側から覆い，トイレット・ペーパ面１６が外側を向いて、便座カバー・ペーパ面１４が内側を向くようになる。かくして衛生ペーパ・ストリップ１０の折り畳みに関し，トイレット・ペーパ面１６が外側を向いていることが，衛生ペーパ・ストリップ１０をトイレット・ペーパとして使用するのは際に、重要となる。
【００６６】
トイレット・ペーパを複数のプライで製造するのが一般的である。それ故に例えば「両面ペーパ」の定義の中には，上記の「Ｗ」の構造においては，２−プライの両面ペーパと３−プライの両面ペーパ、即ち複数のプライの両面ペーパがが含まれる。この２−プライの両面ペーパにおいては，各層が２−プライの層である。３−プライの両面ペーパは，各層が３−プライの層である。
【００６７】
図３−１０に衛生ペーパ・ストリップ１０の特徴を示す。図３−４に衛生ペーパ・ストリップ１０の一部拡げられた状態を示す。衛生ペーパ・ストリップ１０は、縦方向ライン１８，１９，２０に沿って折り畳まれる。衛生ペーパ・ストリップ１０は、２種類の横方向の切り取り点線２２，２３により分離される。便座カバー用切り取り点線２２は，切り取り可能な便座カバー・ペーパ２４の端部を規定するが，彎曲しており直線状ラインではない。トイレット・ペーパ用切り取り点線２３は、直線状ラインであり，従来の市販のトイレット・ペーパの切り取り点線と類似する。図３，４に示すように，便座カバー用切り取り点線２２は、彎曲している。各彎曲の形状は，衛生ペーパ・ストリップ１０の外側層にある半円形のラインと直線状のラインの組み合わせである。便座カバー用切り取り点線２２のこの彎曲形状の目的は，衛生ペーパ・ストリップ１０から切り取り可能な便座カバー・ペーパを拡げるのを容易にすることである。
【００６８】
本発明においては，便座カバー用切り取り点線２２がトイレット・ペーパ用切り取り点線２３と異なる点は，その彎曲形状だけでなくそのサイズである。図１，３に示すように，便座カバー用切り取り点線２２の幅を含むサイズは、トイレット・ペーパ用切り取り点線２３のサイズよりも大きい。この実施例においては，便座カバー用とトイレット・ペーパ用の切り取り点線が異なることにより，ユーザーは衛生ペーパ・ストリップ１０に沿った切り取り可能な便座カバー・ペーパ２４の個々のユニットを識別でき，これによりユーザーは、便座カバー・ペーパの完全なユニットを切り離す時に便利である。
【００６９】
図５は，図１の衛生ペーパ・ストリップ１０から切り取られた便座カバー・ペーパの平面図である。図５に示すように，便座カバー用切り取り点線２２に沿って切り取られた便座カバー・ペーパ２４は、凹部１５と把持部分１７とを有する。把持部分１７により、便座カバー・ペーパ２４を拡げるのが容易となる。図６Ａは、便座カバー・ペーパ２４の斜視図であり，拡げる間にユーザーが便座カバー・ペーパ２４を掴む方法を示す。ユーザーは内側層の露出した領域（凹部１５の穴の切断により露出する）で切り取られた便座カバー・ペーパ２４を掴み，この折り畳まれた状態の便座カバー・ペーパ２４を揺すって拡げる（図７Ａ）。
【００７０】
図６Ｂは、便座カバー・ペーパ２４の斜視図で，拡げる際にユーザーが切り取られた便座カバー・ペーパ２４を二つの把持部分１７（即ち、便座カバー・ペーパ２４の両側から出ている）を掴んで把持する状態を示す。ユーザーは、把持部分１７を用いて便座カバー・ペーパ２４を拡げる（図７Ｂ）。便座カバー・ペーパ２４を便座カバー用切り取り点線２２に沿って切り取った結果，把持部分１７は，便座カバー・ペーパ２４の二つの外側層に有るが，既に互いに分離している。これによりユーザーは、各把持部分１７を保持して、便座カバー・ペーパ２４を拡げることができる。
【００７１】
図８−１０に示すように，便座カバー・ペーパ２４は、現在製造されている便座カバー・ペーパに極めて類似している。衛生ペーパ・ストリップ１０の切り離し可能な便座カバー・ペーパ２４の中央部分には，あらかじめ切れ目の入った（プリカットされた）ボール・フラップ２５が形成されている。このボール・フラップ２５は、切り離し可能で、接続点２６，２６′，２６″（図８）により接続されている。接続点２６，２６′，２６″は、切り取られると、便座カバー・ペーパ２４の中心に開口を形成する（図９）。拡げた後、便座カバー・ペーパ２４を便座２７の上に置く（図１０）。さらに便座カバー・ペーパ２４のサイズは，完全に拡げられた時には便座２７をカバーするほど十分大きく，その結果、便座２７とユーザーのお尻とが、直接接触するのを阻止する（図１０）。
【００７２】
使用に際しては，衛生ペーパ・ストリップ１０は、必要に応じて所定の横方向の切り取り点線で切り取られる。ユーザーが拭いたり洗浄したりするために，衛生ペーパ・ストリップ１０は、衛生ロール１２から巻き解されて、ユーザーが必要とする紙の長さに応じて、便座カバー用切り取り点線２２またはトイレット・ペーパ用切り取り点線２３のいずれかの場所で切り取られる。便座カバー・ペーパが必要な場合には，衛生ペーパ・ストリップ１０は、衛生ロール１２から巻き解され、２カ所の隣り合う便座カバー用切り取り点線２２で切り裂かれる。かくして，１個の完全な便座カバー・ペーパ２４が、衛生ペーパ・ストリップ１０から切り取られる。この手順の後、便座カバー・ペーパ２４を拡げることは、凹部１５または把持部分１７（またはその両方）を用いて行われる。これは図５−７に示す。接続点２６，２６′，２６″が切り取られた後（図８）、ボール・フラップ２５は、図９に示すように開放される。完全に拡げられた便座カバー・ペーパ２４を便座２７の上に配置し，ボール・フラップ２５は、便器のボールの中に垂れ下がる（図１０）。さらにこのボール・フラップ２５により、トイレで水が流された時に、便座カバー・ペーパ２４がそれと共に流される。
【００７３】
図１１，１２は、衛生ペーパ・ストリップの他の実施例を示すが，これは図１−１０の実施例に類似する。図１の衛生ペーパ・ストリップ１０と同様に，図１１に示す衛生ペーパ・ストリップ３０は、彎曲した便座カバー用の横方向切り取り点線４２を有する。この便座カバー用横方向切り取り点線４２は、切り取られた便座カバー・ペーパ４４を拡げるのを容易にする。図１の衛生ペーパ・ストリップ１０と図１１の衛生ペーパ・ストリップ３０との主な違いは，衛生ペーパ・ストリップ１０とは異なり，衛生ペーパ・ストリップ３０は、便座カバー用横方向切り取り点線４２のみを有する点である。この便座カバー用切り取り点線４２は、便座カバー・ペーパ４４の開始端と終了端を規定する。図１２には、便座カバー・ペーパ４４を３枚有する衛生ペーパ・ストリップ３０が部分的に拡げられた状態を示す。上記した特徴以外、衛生ペーパ・ストリップ３０は，衛生ペーパ・ストリップ１０に類似する。
【００７４】
図１３−１６は、本発明の衛生ペーパ・ストリップの他の実施例を示す。この実施例は、図１−１０の実施例に類似する。図１の衛生ペーパ・ストリップ１０と同様に，図１３の衛生ペーパ・ストリップ５０は、湾曲した切り取り点線５２を有する。この切り取り点線５２が、切り取り可能な衛生ペーパ・ストリップ５０の開始端と終了端を規定する（図１４）。衛生ペーパ・ストリップ５０と図１−１２の衛生ペーパ・ストリップとの主な相違点は，便座カバー・ペーパ５４の中央部分にある。図１３−１５に示すように、衛生ペーパ・ストリップ５０の便座カバー・ペーパ５４は、中央に位置するボール切り欠き（開口）５３を有する。これは図８−１０に示すプリカットされたボール・フラップ２５を有する上記の便座カバー・ペーパとは対照的である。言い換えると、ボール切り欠き５３は、既に切り取られ開口を形成しているのに対し、プリカットされたボール・フラップ２５は、接続点２６でペーパ１５に繋がっている。図１５に示すように，切り取られた便座カバー・ペーパ５４は、小さなリム・フラップ５５を有する。リム・フラップ５５の目的は，便座カバー・ペーパ５４が便座５７のリムからずれて外れるのを阻止することである（図１６）。衛生ペーパ・ストリップ５０のそれ以外は、上記の衛生ペーパ・ストリップ１０に類似する。
【００７５】
図１７，１８は本発明の衛生ペーパ・ストリップの他の実施例を示す。この実施例は図１−１０の実施例に類似する。図１の衛生ペーパ・ストリップ１０と図１７の衛生ペーパ・ストリップ７０との主な相違点は，便座カバー・ペーパ７４の開始端と終了端を規定する切り取り点線にある。図１７に示すように，衛生ペーパ・ストリップ７０の便座カバー用切り取り点線７２は、直線状のラインで，これは図１の衛生ペーパ・ストリップ１０の彎曲した便座カバー用切り取り点線２２とは対照的である。図１７，１８に示す本発明の一実施例においては，切り取り可能な便座カバー・ペーパ７４は、切り込み７５を有する。この切り込み７５は、便座カバー・ペーパ７４に切り込まれる。切り込み７５の領域で内側層を露出し，切り取り可能な便座カバー・ペーパ７４を拡げるのを容易にする。切り取られた便座カバー・ペーパ７４は、切り込み７５の露出した領域で便座カバー・ペーパ７４の内側層を掴むことにより、拡げられ，便座カバー・ペーパ７４を形成する。衛生ペーパ・ストリップ７０のこれ以外は、衛生ペーパ・ストリップ１０に類似する。
【００７６】
図１９は、本発明の衛生ペーパ・ストリップの他の実施例を示し，この実施例は、図１７の衛生ペーパ・ストリップ７０の実施例に類似する。図１７の衛生ペーパ・ストリップ７０と図１９の衛生ペーパ・ストリップ８０との主な相違点は，衛生ペーパ・ストリップの横方向に折られた縦方向の層の幅の差である。図２０に示すように、衛生ペーパ・ストリップ８０の折られた長手方向層８４ａの横幅は、長手方向層８４ｂの横幅より狭い。図２０は、図１９の線Ｃ−Ｃ′に沿った衛生ペーパ・ストリップ８０の断面図である。図２０に示すように、長手方向層８４ａは、隣接する長手方向層８６とはオーバーラップしておらず、幅は狭い。衛生ペーパ・ストリップ８０のこの種の折り畳みは、衛生ペーパ・ストリップ８０から切り取られた便座カバー・ペーパ８５を拡げるのを容易にする。衛生ペーパ・ストリップ８０から切り取られた便座カバー・ペーパ８５を拡げるために，ユーザーは衛生ペーパ・ストリップ８０のオーバーラップしていない部分で便座カバー・ペーパ８５を掴む。この部分は図２０に示す長手方向層８９の場所である。掴んだ手を動かすことにより、便座カバー・ペーパ８５の縦方向の折り畳みは容易に崩れて，その結果便座カバー・ペーパ８５は完全に拡がる。衛生ペーパ・ストリップ８０のこれ以外に関しては衛生ペーパ・ストリップ１０に類似する。
【００７７】
図２１−２３Ｃは本発明の衛生ペーパ・ストリップの他の実施例を示す。この実施例は、図１７，１８の衛生ペーパ・ストリップ７０の実施例に類似する。この実施例においては，衛生ペーパ・ストリップ９０は、プリカットされたボール・フラップ９８（図２１）を有する。図１７の衛生ペーパ・ストリップ７０と図２１の衛生ペーパ・ストリップ９０との主な相違点は，衛生ペーパ・ストリップの折り曲げ方法に関する。図２２に示すように、衛生ペーパ・ストリップ９０の折り曲げは，二つの折り曲げられた外側層９３ａ，９３ｂ（これらは、衛生ペーパ・ストリップ９０の二つの横方向に折られた長手方向層を有する）が隣接し互いにオーバーラップするように、行われる点である。言い換えると、ぺーパを縦方向に最初に２つ折りにし、更に２つ折りにする。これは、図１７の折り畳まれた衛生ペーパ・ストリップ７０とは対照的である。
【００７８】
図２３Ａは、衛生ペーパ・ストリップ９０から切り取られた完全に折り畳まれた便座カバー・ペーパ９４を示す。便座カバー・ペーパ９４は、ボール・フラップ９８への切り込み９６を有する。図２３Ｂは、ボール・フラップ９８が一部切り取られた後の便座カバー・ペーパ９４を示す。図２３Ｃは、ボール・フラップ９８が完全に切り取られ、中央に配置された中央開口９７が露出した後の部分的に拡げられた便座カバー・ペーパ９４を示す。衛生ペーパ・ストリップ９０のこれ以外に関しては，衛生ペーパ・ストリップ１０に類似する。
【００７９】
図２４−２７は、本発明の衛生ペーパ・ストリップの他の実施例で，図１−１０に示した衛生ペーパ・ストリップ１０に類似する。図１の衛生ペーパ・ストリップ１０と図２４の衛生ペーパ・ストリップ１００との主な相違点は、衛生ペーパ・ストリップの折り畳まれた構造に関する。図１の衛生ペーパ・ストリップ１０は、４層に折り畳まれているが，図２４の衛生ペーパ・ストリップ１００は、３層に折り畳まれている。衛生ペーパ・ストリップ１００の折り畳み状態を図２５に示す。この図２５は、図２３の線Ｅ−Ｅ′に沿った衛生ペーパ・ストリップ１００の断面図である。
【００８０】
図１の衛生ペーパ・ストリップ１０と図２４の衛生ペーパ・ストリップ１００との別の相違点は，衛生ペーパ・ストリップの材料に関連する。衛生ペーパ・ストリップ１０（図１）は、滑らかな便座カバー・ペーパ面１４と粗いトイレット・ペーパ面１６とを有する二重ペーパでできているが，衛生ペーパ・ストリップ１００（図２４）は，両面が粗いトイレット・ペーパを製造する市販されている材料でできている点である。さらに衛生ペーパ・ストリップ１００は、便座カバー用切り取り点線１０２を有し，これが便座カバー・ペーパ１０４の開始端と終了端を規定する。この便座カバー用切り取り点線１０２は直線状のラインの組み合わせからできており，これは、衛生ペーパ・ストリップ１０の彎曲した便座カバー用切り取り点線２２とは対照的である。
【００８１】
図２５に示すように，衛生ペーパ・ストリップ１００は，３−プライのトイレット・ペーパに似た三層を生成するよう折り畳まれる。図点２６は、一部拡げられた衛生ペーパ・ストリップ１００の斜視図であり，衛生ペーパ・ストリップ１００の折り畳み構造は、英文字「Ｚ」に類似する。図２４，２６に示すこの実施例においては，便座カバー・ペーパ１０４のプリカットされたボール・フラップ１０８は，二つの横方向に折られた長手方向層１０３ａと１０３ｂ（図２５）の間の中間層（図２４）に配置される。図２７は、衛生ペーパ・ストリップ１００から切り取られ完全に拡げられた便座カバー・ペーパ１０４を示す。衛生ペーパ・ストリップ１００のこれ以外は、衛生ペーパ・ストリップ１０に類似する。
【００８２】
上記したように、複数のプライの両面ペーパは、複数の層になる。かくして「両面ペーパ」の定義には、例えばＺ構造には、る２−プライの両面ペーパ、３−プライの両面ペーパ等が含まれる。この２−プライの両面ペーパは、各層が２−プライの層であるような３つの層を有する。また３−プライの両面ペーパは、各層が３−のプライの層である３つの層を有する。
【００８３】
図２８−３１は、本発明の衛生ペーパ・ストリップの他の実施例を示し，この実施例は、図２４−２７の衛生ペーパ・ストリップ１００に類似する。図２８，２９に示すように，衛生ペーパ・ストリップ１１０は、両面１１６が粗い（図２９）ペーパから構成され，折り畳まれて３つの層を生成する。図２４の衛生ペーパ・ストリップ１００と図２８の衛生ペーパ・ストリップ１１０との主な相違点は，衛生ペーパ・ストリップの折り畳み構造に関連する。図２９は図２８の線Ｆ−Ｆ′に沿った衛生ペーパ・ストリップ１００の断面図である。図２４の衛生ペーパ・ストリップ１００のＺ型の折り曲げ構造とは対照的に，図２８，２９に示す衛生ペーパ・ストリップ１１０は、２つの横方向に折り曲げられた縦方向層１１９Ａと１１９Ｂが互いの上に重ねられて、衛生ペーパ・ストリップ１１０が完全に折り畳まれた時には、垂直方向で隣接する。
【００８４】
さらに図２４の衛生ペーパ・ストリップ（ボール・フラップ１０８は衛生ペーパ・ストリップ１００が完全に折り畳まれた時には露出した外側層には無い）とは対照的に、衛生ペーパ・ストリップ１１０（図２８，３０，３１に示す）では、衛生ペーパ・ストリップ１１０の露出した外側層に、便座カバー１１４にプリカットされたボール・フラップ１１８を有する。衛生ペーパ・ストリップ１１０から切り取られた便座カバー１１４を拡げることは、ボール・フラップ１１８により容易にできるが，これは便座カバー・ペーパ９４を拡げるために、図２３Ａ−２３Ｃに示す実施例と同様である。これ以外の点に関しては，衛生ペーパ・ストリップ１１０は衛生ペーパ・ストリップ１０に類似する。
【００８５】
図３２は、本発明の衛生ペーパ・ストリップの他の実施例を示す。これは図１の衛生ペーパ・ストリップ１０に類似する。図１の衛生ペーパ・ストリップ１０と図３２の衛生ペーパ・ストリップ１３０との主な相違点は、パッケージングにある。図１に示す折り畳まれた衛生ペーパ・ストリップ１０は、ロール状に巻かれるが、図３２の折り畳まれた衛生ペーパ・ストリップ１３０は、ボックス１４２内に折り畳まれ積層される。衛生ペーパ・ストリップ１３０は、便座カバー・ペーパ１３４にプリカットされたボール・フラップ１３８を有する。衛生ペーパ・ストリップ１３０は、彎曲した便座カバー用切り取り点線１３２を有する。この便座カバー用切り取り点線１３２が、切り離し可能な便座カバー・ペーパ１３４の横方向の端部を規定する。衛生ペーパ・ストリップ１３０の他の点は、衛生ペーパ・ストリップ１０に類似する。
【００８６】
図１−３２に示す使用態様Ａの衛生ペーパ・ストリップの様々な実施例に関しては，切り外し可能な便座カバー・ペーパは、ユーザーが容易に（少なくとも経済的な観点から）識別できねばならない。このため、便座カバー用の切り取り点線は、衛生ペーパの切り取り可能な便座カバー・ペーパを規定し，ある種のマークで示さなければならない。ユーザーが識別可能なマークは，切り取り可能な便座カバー・ペーパの完全な一つのユニットを規定する目で見ることのできる切り取り点線である。例えばこのようなマークは、便座カバー・ペーパの切り取り点線を着色することである。これにより、切り取り可能な便座カバー・ペーパの完全な一つのユニットを連続する衛生ペーパのストリップから目で識別できる。
【００８７】
図３３−３５は、本発明の使用態様Ｂの衛生ペーパ・ストリップの一実施例を表す。同図において、使用態様Ｂの折り畳まれた個々の衛生ペーパ・ストリップは、ディスペンサ内に折り畳まれ積層されている。
【００８８】
図３３Ａは、本発明の使用態様Ｂの衛生ペーパ・ストリップ１５０による一実施例による一枚の完全に拡げられた便座カバー・ペーパの平面図である。この実施例によれば、衛生ペーパ・ストリップ１５０は、積層された両面ペーパから形成された折り畳まれた便座カバー・ペーパの完全な一つのユニットを示す。その粗い表面１５２を図３３Ａに示す。衛生ペーパ・ストリップ１１０の構造と機能は、上記した使用態様Ａの衛生ペーパ・ストリップ１５０から切り離された便座カバー・ペーパに類似する。図３３Ａに示すように，衛生ペーパ・ストリップ１５０は、凹部１５６を具備する。この凹部１５６は、ボール・フラップ１５５を開放するよう切り込まれている。図３３Ａに示す実施例においては，衛生ペーパ・ストリップ１５０は、横方向の切り取り点線１５４ａ，１５４ｂを具備する。これらの切り取り点線は、トイレット・ペーパの切り離し可能な部分を規定し，市販のトイレット・ペーパの切り取り点線と同様に機能する。長手方向ライン１５７ａ，１５７ｂ，１５７ｃは，使用されない時には、あるいは衛生ペーパ・ストリップ１５０が洗浄したり拭い取ったりする際に用いられる時には、衛生ペーパ・ストリップ１５０がそれに沿って折り畳まれる縦方向のラインである。これらの縦方向のラインが、衛生ペーパ・ストリップ１５０の４個の長手方向層１５１ａ，１５１ｂ，１５１ｃ，１５１ｄを規定し，これらの部分が、これらのラインに沿って折り畳まれた結果として生成される４個の層を実際に表す。衛生ペーパ・ストリップ１５０の斜視図を、図３３Ｂに示すが，これらは長手方向ライン１５７ａ，１５７ｂ，１５７ｃに沿って「Ｗ」の形状に完全に折り畳まれている。これらの縦方向の折り畳みラインは、衛生ペーパ・ストリップ１５０上で等しい間隔で配置されていないので，長手方向層１５１ａの幅は、他の長手方向層１５１ｂ，１５１ｃ，１５１ｄよりも狭い。図１９，２０の衛生ペーパ・ストリップ８０で上記したように，折り畳まれた衛生ペーパ・ストリップ１５０の長手方向ライン１５１ａは、隣接する長手方向ライン１５１ｂとは重なり合わない。これにより折り畳まれた衛生ペーパ・ストリップ１５０を拡げるのを容易にする。両面ペーパの粗い表面１５２と滑らかな表面１５３は，衛生ペーパ・ストリップ１５０を形成するが，図３３Ｂに示すように、完全に折り畳まれた便座カバー・ペーパの斜視図で見られる。
【００８９】
衛生ペーパ・ストリップ１１０は、少なくと２つの機能（拭いさること，あるいは洗浄する）ために用いられるが，衛生ペーパ・ストリップ１５０の全部あるいは切り離した部分を特定なニーズ用に使用することもできる。衛生ペーパ・ストリップ１５０が便座カバー・ペーパとして必要な時には，折り畳まれた衛生ペーパ・ストリップ１５０は、完全に拡げられ，ボール・フラップ１５５を部分的に切り取り、便座上に配置される。
【００９０】
図３３Ｃは、図３３Ｂの完全に折り畳まれた便座カバー・ペーパの斜視図である。同図では、ディスペンサ内に積み重ねるために横方向の切り取り点線に沿って折り畳まれている。折り畳み構図を明瞭にするために，衛生ペーパ・ストリップ１５０の粗い表面１５２と平滑な表面１５３が示されている。また，図３３Ｃには、横方向の切り取り点線１５４ａと狭い長手方向層１５１ａが示されている。
【００９１】
図３４は、図３３Ｃの３個の個別に折り畳まれた衛生ペーパ・ストリップ１５０ａ，１５０ｂ，１５０ｃの斜視図であり，それらは互いの上に折り畳まれて積み重ねられている。この折り畳みは、横方向の切り取り点線に平行な横方向に沿って行われる。明瞭にするために、折り畳まれた衛生ペーパ・ストリップ１５０ａの平滑な表面１５３と粗い表面１５２と４個の層１５１ａ，１５１ｂ，１５１ｃ，１５１ｄが示されている。
【００９２】
図３５は、図３３Ｃに示す複数の衛生ペーパ・ストリップの斜視図であり，これらはポップアップ型のディスペンサ１６４内に折り畳まれ積層される。図３４，３５に示すように、ディスペンサ１６４内に個々の便座カバー・ペーパを配置することは、内側への折り畳みは上部のペーパシートが引き出されると，その後のペーパシートが現れて引き出されるように行われる。
【００９３】
衛生ペーパの両方の使用態様においては，好ましい衛生ペーパは二重のペーパで形成されるが，両側が粗いペーパにも適宜用いられる。あらゆる種類の廃棄可能な水に流せる紙は、市販のトイレット・ペーパで通常使用される紙と同様であるが，本発明で用いることができる。これらの紙は、洗浄剤や抗菌化合物を含浸したものでもよい。
【００９４】
以上の説明は，本発明の一実施例に関するもので，この技術分野の当業者であれば，本発明の種々の変形例を考え得るが，それらはいずれも本発明の技術的範囲に包含される。特許請求の範囲の構成要素の後に記載した括弧内の番号は，図面の部品番号に対応し，発明の容易なる理解の為に付したものであり，発明を限定的に解釈するために用いてはならない。また，同一番号でも明細書と特許請求の範囲の部品名は必ずしも同一ではない。これは上記した理由による。
【図面の簡単な説明】
【００９５】
【図１】本発明の一実施例によるロール状に巻かれ使用態様Ａの折り畳まれた衛生ペーパ・ストリップの斜視図。
【図２】図１Ａの線Ａ−Ａ’に沿った断面図。
【図３】図１の衛生ペーパ・ストリップの切り取り可能な３枚の便座カバー・ペーパを部分的に拡げた粗い表面を示す正面図。
【図４】図１の衛生ペーパ・ストリップの切り取り可能な３枚の便座カバー・ペーパを部分的に拡げ粗い表面と滑らかな表面を示す斜視図。
【図５】図１の衛生ペーパ・ストリップから切り離した１枚の便座カバー・ペーパの正面図。
【図６Ａ】図５の便座カバー・ペーパを拡げる間、ユーザーが便座カバー・ペーパを保持する方法を示す便座カバー・ペーパの斜視図。
【図６Ｂ】図５の便座カバー・ペーパを拡げる間、ユーザーが便座カバー・ペーパを保持する別の方法を示す便座カバー・ペーパの斜視図。
【図７Ａ】図５の便座カバー・ペーパを部分的に拡げた状態の斜視図。
【図７Ｂ】図５の便座カバー・ペーパを更に拡げた状態の斜視図。
【図８】図５の便座カバー・ペーパを完全に拡げた状態の平面図。
【図９】図５の便座カバー・ペーパのプリカットされたボールフラップを部分的に切り取った状態の斜視図。
【図１０】図９の完全に拡げられた便座カバー・ペーパを便座に配置した状態の斜視図。
【図１１】本発明の一実施例により、便座カバー・ペーパ用の切り取り点線のみを示す使用態様Ａの別の衛生ペーパ・ストリップの斜視図。
【図１２】図１１の衛生ペーパ・ストリップの三つの連続する切り取り可能な便座カバー・ペーパを部分的に拡げた状態を表す斜視図。
【図１３】本発明の他の実施例の使用態様Ａにより，中央に配置されたボールカットアウトが切り取り可能な便座カバー・ペーパに形成された拡げる前の衛生ペーパ・ストリップの斜視図。
【図１４】図１３の衛生ペーパ・ストリップから切り離され部分的に拡げられた便座カバー・ペーパの斜視図。
【図１５】図１４の部分的に拡げられた便座カバー・ペーパを完全に拡げた状態の平面図。
【図１６】図１５の完全に拡げられた便座カバー・ペーパを便座に配置した状態の斜視図。
【図１７】本発明の一実施例により、使用態様Ａの別の衛生ペーパ・ストリップの斜視図。
【図１８】図１７の衛生ペーパ・ストリップの３つの連続する便座カバー・ペーパを部分的に拡げらた状態の斜視図。
【図１９】本発明の一実施例により、折り畳まれた使用態様Ａの別の衛生ペーパ・ストリップの斜視図で，衛生ペーパ・ストリップの横方向に折り畳まれた縦方向の２枚の層の内に一方の幅が他方の幅よりも広い状態を表す図。
【図２０】図１９の線Ｃ−Ｃ’に沿った断面図。
【図２１】本発明の他の実施例により，横方向に折り畳まれた縦方向の２枚の層が互いに隣接して接触している使用態様Ａの別の衛生ペーパ・ストリップの斜視図。
【図２２】図２１の線Ｄ−Ｄ’に沿った拡大断面図。
【図２３Ａ】図２１の衛生ペーパ・ストリップから切り取られた１つの便座カバー・ペーパの平面図。
【図２３Ｂ】図２３Ａの便座カバー・ペーパのプリカットされたボールフラップが部分的に切り離された状態の平面図。
【図２３Ｃ】図２３Ａの便座カバー・ペーパのプリカットされたボールフラップが部分的に切り離された状態で部分的に拡げられた便座カバー・ペーパの斜視図。
【図２４】本発明の一実施例により、衛生ペーパ・ストリップが３層に折り畳まれる即ち英文字「Ｚ」に似た構造で折り畳まれる使用態様Ａの別の衛生ペーパ・ストリップの斜視図
【図２５】図２４の線Ｅ−Ｅ’に沿った断面図。
【図２６】図２４の衛生ペーパ・ストリップから切り取られ部分的に拡げられた便座カバー・ペーパの斜視図。
【図２７】図２６の便座カバー・ペーパを完全に拡げた状態の平面図。
【図２８】本発明の一実施例により，３層に折り畳まれた使用態様Ａの別の衛生ペーパ・ストリップの斜視図。
【図２９】図２８の線Ｆ−Ｆ’に沿った断面図。
【図３０】図２８の衛生ペーパ・ストリップから切り取られ部分的に拡げられた便座カバー・ペーパの斜視図。
【図３１】図３０の便座カバー・ペーパが完全に拡げられた状態の平面図。
【図３２】本発明により、図３，図４の折り畳まれた使用態様Ａの衛生ペーパ・ストリップがボックス内にパッケージされた状態を表す斜視図。
【図３３Ａ】本発明の使用態様Ｂの衛生ペーパ・ストリップから切り離され完全に拡げられた便座カバー・ペーパの平面図。
【図３３Ｂ】図３３Ａの便座カバー・ペーパが縦方向ラインに沿って完全に折り畳まれた状態を表す斜視図。
【図３３Ｃ】便座カバー・ペーパをディスペンサ内に収納するために、切り取り点線に沿って折り畳まれた図３３Ｂの完全に折り畳まれた便座カバー・ペーパの斜視図。
【図３４】互いの上に折り畳まれ重ねられた図３３Ｃの３枚の便座カバー・ペーパを示す斜視図。
【図３５】図３３Ｃの完全に折り畳まれた複数の便座カバー・ペーパがポップアップ型のディスペンサ内に折り畳まれ積層された状態を表す斜視図。
【符号の説明】
【００９６】
１０  衛生ペーパ・ストリップ
１１  ロールの軸
１２  衛生ロール
１４  便座カバー・ペーパ側
１６  トイレット・ペーパ側
１３ａ，１３ｂ  長手方向層
１８，１９，２０  縦方向ライン
２２  便座カバー用切り取り点線
２３  トイレット・ペーパ用切り取り点線
２４  便座カバー・ペーパ
２５  ボール・フラップ
２６  接続
２７  便座
３０  衛生ペーパ・ストリップ
４２  横方向便座カバー用切り取り点線
４４  便座カバー・ペーパ
５０  衛生ペーパ・ストリップ
５２  湾曲した切り取り点線
５４  便座カバー・ペーパ
５５  リム・フラップ
５７  便座
７０  衛生ペーパ・ストリップ
７４  便座カバー・ペーパ
７５  凹部
８０  衛生ペーパ・ストリップ
８４ａ，８４ｂ  長手方向層
８５  便座カバー・ペーパ
８６  長手方向層
８９  長手方向層
９０  衛生ペーパ・ストリップ
９４  便座カバー・ペーパ
９７  中央開口
９８  ボール・フラップ
１００  衛生ペーパ・ストリップ
１０２  便座カバー用切り取り点線
１０３ａ，１０３ｂ  長手方向層
１０４  便座カバー・ペーパ
１０８  ボール・フラップ
１１０  衛生ペーパ・ストリップ
１１４  便座カバー・ペーパ
１１６  両側
１１８  ボール・フラップ
１１９ａ，１１９ｂ  長手方向層
１３０  衛生ペーパ・ストリップ
１３４  便座カバー・ペーパ
１３８  ボール・フラップ
１４２  ボックス
１５０  衛生ペーパ・ストリップ
１５２  粗い表面
１５４ａ，１５４ｂ  横方向切り取り点線
１５７ａ，１５７ｂ，１５７ｃ  長手方向ライン
１５１  長手方向ライン
１５５  ボール・フラップ
【図１】
2010518883.tif 000003
【図２】
2010518883.tif 000004
【図３】
2010518883.tif 000005
【図４】
2010518883.tif 000006
【図５】
2010518883.tif 000007
【図６Ａ】
2010518883.tif 000008
【図６Ｂ】
2010518883.tif 000009
【図７Ａ】
2010518883.tif 000010
【図７Ｂ】
2010518883.tif 000011
【図８】
2010518883.tif 000012
【図９】
2010518883.tif 000013
【図１０】
2010518883.tif 000014
【図１１】
2010518883.tif 000015
【図１２】
2010518883.tif 000016
【図１３】
2010518883.tif 000017
【図１４】
2010518883.tif 000018
【図１５】
2010518883.tif 000019
【図１６】
2010518883.tif 000020
【図１７】
2010518883.tif 000021
【図１８】
2010518883.tif 000022
【図１９】
2010518883.tif 000023
【図２０】
2010518883.tif 000024
【図２１】
2010518883.tif 000025
【図２２】
2010518883.tif 000026
【図２３Ａ】
2010518883.tif 000027
【図２３Ｂ】
2010518883.tif 000028
【図２３Ｃ】
2010518883.tif 000029
【図２４】
2010518883.tif 000030
【図２５】
2010518883.tif 000031
【図２６】
2010518883.tif 000032
【図２７】
2010518883.tif 000033
【図２８】
2010518883.tif 000034
【図２９】
2010518883.tif 000035
【図３０】
2010518883.tif 000036
【図３１】
2010518883.tif 000037
【図３２】
2010518883.tif 000038
【図３３Ａ】
2010518883.tif 000039
【図３３Ｂ】
2010518883.tif 000040
【図３３Ｃ】
2010518883.tif 000041
【図３４】
2010518883.tif 000042
【図３５】
2010518883.tif 000043
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
ティシュ・ペーパとして及び便座カバー・ペーパとして使用されるペーパにおいて，
（ａ）  ユーザが拭くためと便座をカバーするために使用される衛生ペーパ製の衛生ペーパ・ストリップからなり，
前記衛生ペーパ・ストリップは、複数の切り取り可能なティシュ・ペーパの部分を有し，
前記切り離し可能な部分の少なくとも一部は，折り畳まれた便座カバー・ペーパであり，
前記衛生ペーパ・ストリップは、折り畳まれると、少なくとも３つの層を形成し，
（ｂ）  前記衛生ペーパ・ストリップに、複数の切り取り可能な部分を規定する複数の横方向の切り取り点線が形成され，
前記複数の横方向の切り取り点線の少なくとも一本は，便座カバー・ペーパ用の切り取り点線であり，
前記便座カバー・ペーパ用の切り取り点線が，便座カバー・ペーパの開始端と終了端を規定し、
前記便座カバー・ペーパは、中央部分にプリカットされたボール・フラップを有し、
前記便座カバー・ペーパの少なくとも１を、前記ボール・フラップの場所で、前記横方向の切り取り点線の少なくとも１本がクロスする
ことを特徴とするティシュ・ペーパと便座カバー・ペーパとして使用されるペーパ。
【請求項２】
前記便座カバー・ペーパは，完全に拡げられた時は、前記便座をカバーする大きさと形状をしており、
前記便座カバー・ペーパは，前記便座とユーザの皮膚とが直接接触するのを阻止する
ことを特徴とする請求項１記載のペーパ。
【請求項３】
前記衛生ペーパ・ストリップの切り取り可能な部分の少なくとも一部は，少なくとも２つの機能を有し，
第１の機能は、前記ユーザー拭く機能であり，
第２の機能は、拡げた時に、便座をカバーする機能である
ことを特徴とする請求項１記載のペーパ。
【請求項４】
前記便座カバー・ペーパは、前記３層の内の露出した外側層に、凹部を有し、
前記凹部は、前記３層の隣接層の一部を、露出した外側層に、露出し、
前記凹部の少なくとも１つは、ユーザが前記隣接層の露出部分を把持することにより、前記便座カバー・ペーパを拡げるのを容易にする大きさと場所を有する
ことを特徴とする請求項１記載のペーパ。
【請求項５】
前記衛生ペーパは、ロール状に巻かれている
ことを特徴とする請求項１記載のペーパ。
【請求項６】
前記衛生ペーパは、ポップアップのディスペンサ内に折り畳んで重ねられる
ことを特徴とする請求項１記載のペーパ。
【請求項７】
前記衛生ペーパ・ストリップは，複数のプライから構成され、
前記３層の内の少なくとも１つの層は、前記複数のプライから構成される
ことを特徴とする請求項１記載のペーパ。
【請求項８】
前記衛生ペーパ・ストリップは，少なくとも３層を生成するよう積層され、
前記便座カバー・ペーパのボール・フラップの少なくとも一部は、折り畳まれた時に、前記３層の内側層内に形成される
ことを特徴とする請求項１記載のペーパ。
【請求項９】
前記衛生ペーパ・ストリップは，４層を生成するよう積層される
ことを特徴とする請求項１記載のペーパ。
【請求項１０】
前記４層は，前記衛生ペーパが部分的に拡げられた時に，英文字の「Ｗ」に似た断面外形を有し，
前記ボール・フラップは，前記４層の内の２つの内側層に形成される
ことを特徴とする請求項９記載のペーパ。
【請求項１１】
前記４層は，前記衛生ペーパの横方向に折り畳まれた２つの層を有し、
前記横方向に折り畳まれた２つの層は、互いに隣接し、前記衛生ペーパの一方の側に配置される
ことを特徴とする請求項９記載のペーパ。
【請求項１２】
前記衛生ペーパは、前記ボール・フラップが，露出しないよう、巻かれる
ことを特徴とする請求項５記載のペーパ。
【請求項１３】
ティシュ・ペーパとして及び便座カバー・ペーパとして使用されるペーパにおいて，
（ａ）  ユーザが拭くためと便座をカバーするために使用され、少なくとも３層を生成するよう積層される衛生ペーパ・ストリップからなり，
前記衛生ペーパ・ストリップは、衛生ペーパ・ストリップと一体の折り畳まれた便座カバー・ペーパを有し、
前記便座カバー・ペーパは、中央部分にプリカットされたボール・フラップを有し、
前記便座カバー・ペーパは，完全に拡げられた時は、前記便座をカバーする大きさと形状をしており、
前記便座カバー・ペーパは，前記便座とユーザの皮膚とが直接接触するのを阻止し、
（ｂ）  前記衛生ペーパ・ストリップに、横方向の切り取り点線が形成され，
前記横方向の切り取り点線は，ユーザが拭うティシュ・ペーパの切り取り部分を規定し，
前記横方向の切り取り点線の少なくとも１本は、前記ボール・フラップの場所で、前記便座カバー・ペーパの少なくとも１つをクロスする
ことを特徴とするティシュ・ペーパと便座カバー・ペーパとして使用されるペーパ。
【請求項１４】
前記衛生ペーパの少なくとも２つが、ポップアップのディスペンサ内に折り畳んで重ねられる
ことを特徴とする請求項１３記載のペーパ。
【請求項１５】
ティシュ・ペーパとして及び便座カバー・ペーパとして使用されるペーパにおいて，
（ａ）  ユーザが拭くためと便座をカバーするために使用される衛生ペーパ・ストリップからなり，
前記衛生ペーパ・ストリップは、複数の切り取り可能なティシュ・ペーパの部分を有し，
前記切り離し可能な部分の少なくとも一部は，折り畳まれた便座カバー・ペーパであり，
前記衛生ペーパ・ストリップは、折り畳まれると、少なくとも３つの層を形成し，
（ｂ）  前記衛生ペーパ・ストリップに、複数の切り取り可能な部分を規定する複数の横方向の切り取り点線が形成され，
前記複数の横方向の切り取り点線の少なくとも一本は，便座カバー・ペーパ用の切り取り点線であり，
前記便座カバー・ペーパ用の切り取り点線が，便座カバー・ペーパの開始端と終了端を規定し、
前記便座カバー・ペーパは、中央部分にボール開口を有し、
前記便座カバー・ペーパの少なくとも１つを、前記ボール開口の場所で、前記横方向の切り取り点線の少なくとも１本がクロスする
ことを特徴とするティシュ・ペーパと便座カバー・ペーパとして使用されるペーパ。
【国際調査報告】
2010518883.tif 000044
2010518883.tif 000045